(57)【特許請求の範囲】
【請求項１】
開閉するときにドア枠(20)に向かって出入りするラッチ(15)を有すると共に、ドア(10)とドア枠(20)との隙間を開口部で閉塞するように突出しているツバ(14)を有するドア(10)と、このドア(10)を蝶番(40)を介して連結しているドア枠(20)とからなる防犯ドアユニットであって、
ドア枠(20)に傾動できるようにラッチカバー(30)を連結しており、このラッチカバー(30)はドア(10)の蝶番(40)と平行な軸を回転軸として傾動できるようにドア枠(20)に連結されると共に、ドア(10)のツバ(14)を内側に案内できる溝形に形成されて、閉めたドア(10)の外側に位置するカバー側壁(31)と内側に位置する係止側壁(32)とを有し、
ドア(10)が開かれるとラッチカバー(30)は弾性体(39)で開かれ、ドア(10)を閉じるとドア(10)のツバ(14)がラッチカバー(30)の溝(33)内に案内されて、ツバ(14)が係止側壁(32)を押してラッチカバー(30)を閉じ、ラッチカバー(30)が閉じられる状態で、カバー側壁(31)がドア(10)のラッチ部をツバ(14)の外側で覆うようにしてなるドアとドア枠からなる防犯ドアユニット。
【請求項２】
ラッチカバー(30)が回転軸(36)を介して取付プレート(37)に回転できるように連結され、この取付プレート(37)をドア枠(20)のストライク(22)に固定している請求項１に記載されるドアとドア枠からなる防犯ドアユニット。
【請求項３】
取付プレート(37)が、ストライク(22)をドア枠(20)に固定している止ネジ(41)でドア枠(20)に固定されてなる請求項２に記載されるドアとドア枠からなる防犯ドアユニット。
【請求項４】
ドア枠(20)がツバ(14)を案内する部分に段差凹部(21)を設けており、この段差凹部(21)にラッチカバー(30)を配設している請求項１に記載されるドアとドア枠からなる防犯ドアユニット。
【発明の詳細な説明】
【０００１】
【発明の属する技術分野】
本発明は、ドア枠との間を閉塞するツバを突出させてドアをドア枠に連結している防犯ドアユニットに関する。
【０００２】
【従来の技術】
ドアは、ドア枠のストライクに弾性的に挿入されるラッチを有する。ラッチがストライクに入れられて、ドアは閉じた状態に保持される。ドアロックは、ラッチがドアに入るのを停止してドアを開かないようにする。ドアとドア枠との間に金属レバー等を入れて無理にドアが開かれることがある。とくに、耐震ドアのように、ドアとドア枠の隙間を広くすると、金属レバーを入れやすくなって、防犯の点で好ましくないことになる。この弊害を解消するために、図１に示すように、ツバ１４を設けた防犯ドアユニットが開発されている。この図はドア１０を閉めた状態を示している。この図の防犯ドアユニットは、ドア１０とドア枠２０との隙間を塞ぐツバ１４をドア２０に設けている。このため、この隙間に金属レバー等を挿入できず、ドア１０とドア枠２０との隙間を広くできる。隙間が広くても、ツバ１４で開口部を塞いでいるので、隙間に金具等を入れてラッチ１５を開かれることがなく、防犯に優れているからである。
【０００３】
【発明が解決しようとする課題】
しかしながら、図１に示す防犯ドアユニットは、ツバの強度が充分でなく、これを金属レバー等で変形すると、ドアとドア枠との間に金属レバー等を挿入できる状態となってしまう。このため、ツバを設けてはいるが、充分な防犯特性を実現することは難しい。
【０００４】
本発明は、この欠点を解決することを目的に開発されたものである。本発明の重要な目的は、極めて簡単な構造で優れた防犯特性を実現し、さらに防犯のために特別な操作を必要とせず、従来のドアユニットと同じように使用できる防犯ドアユニットを提供することにある。
【０００５】
【課題を解決するための手段】
本発明の防犯ドアユニットは、開閉するときにドア枠２０に向かって出入りするラッチ１５を有すると共に、ドア１０とドア枠２０との隙間を開口部で閉塞するように突出しているツバ１４を有するドア１０と、このドア１０を蝶番４０を介して連結しているドア枠２０とを備える。さらに、防犯ドアユニットは、ドア枠２０に傾動できるようにラッチカバー３０を連結している。このラッチカバー３０は、ドア１０の蝶番４０と平行な軸を回転軸として傾動できるようにドア枠２０に連結している。さらに、ラッチカバー３０は、ドア１０のツバ１４を内側に案内できる溝形に形成しており、閉めたドア１０の外側に位置するカバー側壁３１と内側に位置する係止側壁３２とを有する。この防犯ドアユニットは、ドア１０が開かれるとラッチカバー３０が弾性体３９で開かれ、ドア１０を閉じるとドア１０のツバ１４がラッチカバー３０の溝３３内に案内されて、ツバ１４が係止側壁３２を押してラッチカバー３０を閉じ、ラッチカバー３０が閉じられる状態で、カバー側壁３１がドア１０のラッチ部をツバ１４の外側で覆っている。
【０００６】
ラッチカバー３０は、回転軸３６を介して取付プレート３７に回転できるように連結して、この取付プレート３７をドア枠２０のストライク２２に固定することができる。取付プレート３７は、ストライク２２をドア枠２０に固定している止ネジ４１でドア枠２０に固定することができる。ラッチカバー３０は、カバー側壁３１の幅を係止側壁３２の幅よりも広くすることができる。係止側壁３２は、先端縁を溝３３の外側に折曲する形状とすることができる。ラッチカバー３０は、中間に弾性体３９を配設することができる。弾性体３９は、コイルバネとすることができる。ドア枠２０は、ツバ１４を案内する部分に段差凹部２１を設けて、この段差凹部２１にラッチカバー３０を配設することができる。
【０００７】
【発明の実施の形態】
以下、本発明の実施例を図面に基づいて説明する。ただし、以下に示す実施例は、本発明の技術思想を具体化するための防犯ドアユニットを例示するものであって、本発明は防犯ドアユニットを下記のものに特定しない。
【０００８】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【０００９】
図２に示す防犯ドアユニットは、ドア１０とドア枠２０からなり、ドア１０は蝶番４０を介して開閉できるようにドア枠２０に連結している。図の防犯ドアユニットは耐震ドアで、ドア１０とドア枠２０との間隔を広くして、ここをツバ１４でカバーしている。図３の断面図に示すように、ドア１０はドア枠２０に向かって突出するラッチ１５を有する。ラッチ１５は、弾性的に出入りするようにドア１０に装着している。ドア枠２０は、このラッチ１５を案内するストライク２２を設けている。ドア１０を閉めた状態で、ラッチ１５がストライク２２に挿入されて、ドア１０は開かないようにドア枠２０に連結される。ラッチ１５はノブ１６に連結され、ノブ１６を回転してドア１０の内部に引き込まれる。
【００１０】
図のドア１０は、ドア枠２０に向かって突出するツバ１４を有する。ツバ１４は、ドア１０を閉めた状態で、ドア１０とドア枠２０との間の隙間を閉塞する。ツバ１４は、ドア１０を開くときに邪魔にならないように、開かれる外側面に突出して設けられる。ツバ１４は、ドア１０の周囲からドア枠２０に向かって突出している。耐震ドアは、ドア１０とドア枠２０との隙間を広くしている。地震で変形したドア枠２０が、ドア１０に当たって開くことができなくなるのを防止するためである。広い隙間を開口側で閉塞するために、ツバ１４を突出させている。図３のドア１０は、ドア１０の内部に入れている溝型枠材１１の片方の側壁を高く突出させてツバ１４の芯材としている。溝型枠材１１の表面を美しく装飾するために、ドア１０の表面金属板１２を側壁に沿って折曲し、これで側壁を被覆している。表面金属板１２は、溝型枠材１１とコ字枠１３とで先端縁を挟着して固定している。コ字枠１３は、溝型枠材１１の内側に嵌入して固定している。ドア枠２０はツバ１４を案内するために段差凹部２１を設けている。ドア１０を閉めるとツバ１４が段差凹部２１に位置して、ドア１０とドア枠２０の隙間が閉塞される。
【００１１】
ドア１０とドア枠２０の隙間、とくにラッチ１５を設けた部分をより強靭な構造でカバーするために、ラッチカバー３０を設けている。ラッチカバー３０は、図２と図３に示すように、ドア１０を閉めた状態でツバ１４の外側、とくにラッチ１５を設けている部分でツバ１４の外側をカバーして、ツバ１４が無理に変形されるのを防止する。ラッチカバー３０は、防犯のために、ツバ１４が無理に変形されるのを防止するためのものであるから、ツバ１４よりも強靭な構造としている。ラッチカバー３０は厚い金属で製作し、あるいは強い金属で製作して、ツバ１４よりも強靭な構造にできる。図のラッチカバー３０は、全体をアルミニウムの押し出し材とし、さらにツバ１４よりも厚くして強靭な構造としている。
【００１２】
ラッチカバー３０は、図３ないし図５に示すように、回転軸３６と取付プレート３７でドア枠２０に傾動できるように連結される。このラッチカバー３０は、ドア１０をドア枠２０に連結している蝶番４０と平行な軸を回転軸として傾動できるようにドア枠２０に連結される。さらに、ラッチカバー３０は、図３と図４に示すように、開閉されるドア１０のツバ１４を内側に案内できる溝形に形成している。溝形のラッチカバー３０は、図３ないし図５に示すように、閉めたドア１０のツバ１４の外側に位置するカバー側壁３１と、ツバ１４の内側に位置する係止側壁３２とを有する。
【００１３】
カバー側壁３１は、先端にドア１０に向かって折曲する折曲部３１Ａを設けている。さらに、ラッチカバー３０は、図３に示すように、ラッチカバー３０を閉じた状態におけるカバー側壁３１の折曲部３１Ａと係止側壁３２との内幅、すなわち溝３３の内幅をツバ１４の厚さとしている。このラッチカバー３０は、ドア１０を閉めた状態で折曲部３１Ａをツバ１４の表面に密着させて、カバー側壁３１とドア１０表面との間に隙間ができないようにできる。このため、ラッチカバー３０とドア１０との間に、ドア１０を無理に開ける金属レバー等を挿入できず、防犯効果をとくに高くできる特長がある。さらに、ラッチカバー３０は、カバー側壁３１の幅を係止側壁３２の幅よりも広くして、カバー側壁３１をドア１０のツバ１４からさらにドア１０の内側まで延長している。このラッチカバー３０は、カバー側壁３１をツバ１４の付け根まで延長でき、さらにツバ１４よりも厚いドア１０の本体部までも延長できる。このため、ラッチカバー３０がツバ１４からドア１０の内側までカバーして防犯効果より向上できる特長がある。
【００１４】
係止側壁３２は、先端縁を溝３３の外側に折曲してガイド片３２Ａとしている。このラッチカバー３０は、閉めるドア１０のツバ１４で確実に開閉できる。それは、図４に示すように、係止側壁３２のガイド片３２Ａが、閉じられるドア１０のツバ１４の先端から内側に延長されて、ツバ１４に確実に接触されるからである。ガイド片３２Ａのある係止側壁３２は、ドア１０を閉じた状態でドア枠２０のコーナーに沿うように形成される。このラッチカバー３０は、ドア１０を閉めた状態で、ドア枠２０の段差凹部２１から内面に沿って閉じられる。
【００１５】
ラッチカバー３０は、回転軸３６を介して取付プレート３７に傾動できるように連結され、取付プレート３７をドア枠２０に固定している。取付プレート３７は、ラッチカバー３０でドア１０のラッチ１５を設けているツバ１４の外側をカバーする位置に固定される。ドア１０のラッチ１５は、蝶番４０の反対側で上下のほぼ中央に配設される。したがって、図２に示すように、ラッチカバー３０は、蝶番４０の反対側でドア１０の上下のほぼ中央に配設される。ラッチカバー３０は、回転軸３６を挿入する円形の軸孔３４を設けている。取付プレート３７は、図５に示すように、ラッチカバー３０の軸孔３４に挿通している回転軸３６を支持する支持筒３８を両端に設けている。さらに、ラッチカバー３０は、係止側壁３２の両側と中央に切除部３５を設けている。両端の切除部３５には取付プレート３７の支持筒３８を配設して、中央の切除部３５には、ラッチカバー３０を弾性的に開く弾性体３９であるコイルバネを配設している。コイルバネは、回転軸３６に挿通されて両端を半径方向に突出させている。半径方向に突出する一端は、図５と図６に示すように、カバー側壁３１の内面に当接しており、他端は取付プレート３７に当接している。コイルバネは、図６の矢印で示す方向にカバー側壁３１を押して、ラッチカバー３０を弾性的に開いている。
【００１６】
取付プレート３７は金属板をプレス加工して製作される。図５の取付プレート３７は、金属板を円筒状に加工して切除部３５に位置する支持筒３８を設けている。さらに取付プレート３７は、支持筒３８をドア枠２０の段差凹部２１の所定の位置に配設するために、立上部３７Ａと、段差凹部２１に沿う延長部３７Ｂと、ドア枠２０に固定される固定部３７Ｃとを設けている。延長部３７Ｂと固定部３７Ｃは直角に折曲されている。延長部３７Ｂと立上部３７Ａも直角に折曲している。固定部３７Ｃは、ドア枠２０にストライク２２を固定している止ネジ４１で、ストライク２２と一緒にドア枠２０の内面に固定される。
【００１７】
ドア枠２０は、ドア１０のツバ１４を案内する部分に段差凹部２１を設けている。この段差凹部２１にラッチカバー３０が配設されるように、ラッチカバー３０の取付プレート３７をドア枠２０に固定している。
【００１８】
以上の防犯ドアユニットは、ドア１０が開かれると、図５に示すように、ラッチカバー３０が弾性体３９で開かれる。ドア１０が閉じられるとき、図４に示すように、ドア１０のツバ１４がラッチカバー３０の係止側壁３２に当る。この状態でさらにドア１０が閉められると、ドア１０のツバ１４はラッチカバー３０の係止側壁３２を押して傾動させる。ドア１０が完全に閉じられると、図３に示すように、ツバ１４は係止側壁３２を押してラッチカバー３０を完全に閉じ。閉じられたラッチカバー３０は、図２と図３に示すように、カバー側壁３１でもって、ドア１０のラッチ１５を設けているいる部分で、ツバ１４の外側をカバーする。
【００１９】
【発明の効果】
本発明の防犯ドアユニットは、極めて簡単な構造で優れた防犯特性を実現できる特長がある。それは、本発明の防犯ドアユニットが、ツバを有するドアを閉じた状態で、ドアのツバを外側から覆うラッチカバーを備え、このラッチカバーをドア枠に傾動できるように連結しているからである。このラッチカバーは、閉めたドアの外側に位置するカバー側壁と内側に位置する係止側壁とを備え、ドアのツバを内側に案内できる溝形に形成している。この構造の防犯ドアユニットは、ドアを閉じると、ドアのツバがラッチカバーの溝内に案内されて、ツバが係止側壁を押してラッチカバーを閉じ、ラッチカバーが閉じられる状態では、カバー側壁がドアのラッチ部をツバの外側で覆うようになっている。したがって、ドアを閉じると、ドアのラッチ部がラッチカバーによって覆われて、この部分のツバを金属レバー等で変形できなくなり、充分な防犯特性を実現できる。このように、本発明の防犯ドアユニットは、ドアを閉じるだけでツバの外側をラッチカバーで覆って防犯でき、また、ドアを開くとラッチカバーが弾性体で開かれるようになっているので、防犯のために特別な操作を必要とせず、従来のドアユニットと同じようにドアを自由に開閉しながら、極めて簡単に防犯できる特長がある。
【図面の簡単な説明】
【図１】従来のドアユニットの断面図
【図２】本発明の一実施例にかかる防犯ドアユニットの正面図
【図３】図２に示す防犯ドアユニットの水平断面図であって図５に示すドア枠のＡ−Ａ線断面に相当する図
【図４】図３に示す防犯ドアユニットのドアを開いた状態を示す断面図
【図５】図４に示す防犯ドアユニットのドア枠を内側から見た図
【図６】図２に示す防犯ドアユニットの水平断面図であって図５に示すドア枠のＢ−Ｂ線断面に相当する図
【符号の説明】
１０…ドア
１１…溝型枠材
１２…表面金属板
１３…コ字枠
１４…ツバ
１５…ラッチ
１６…ノブ
２０…ドア枠
２１…段差凹部
２２…ストライク
３０…ラッチカバー
３１…カバー側壁        ３１Ａ…折曲部
３２…係止側壁          ３２Ａ…ガイド片
３３…溝
３４…軸孔
３５…切除部
３６…回転軸
３７…取付プレート      ３７Ａ…立上部            ３７Ｂ…延長部
３７Ｃ…固定部
３８…支持筒
３９…弾性体
４０…蝶番
４１…止ネジ
【図１】
0003910449.tif 000002
【図２】
0003910449.tif 000003
【図３】
0003910449.tif 000004
【図４】
0003910449.tif 000005
【図５】
0003910449.tif 000006
【図６】
0003910449.tif 000007